(57)【要約】【課題】指挟み対策を簡素な構造で実現すること。【解決手段】戸先側縦枠２３の見込み面２３１には、シール材５が装着される被装着部６が設けられている。シール材５は、被装着部６に装着される装着部５１と、弾性変形可能とし、少なくとも一部が被装着部６に対して可動障子３の戸尻側に位置する緩衝部５２とを備える。【選択図】図４
2019035317.tif 000002
【特許請求の範囲】
【請求項１】
枠体と、当該枠体内にスライド移動可能に設けられ、当該枠体内の開口を開閉する可動障子とを備えた建具であって、
前記枠体における前記可動障子の戸先側に位置する戸先側枠部の見込み面には、
シール材が装着される被装着部が設けられ、
前記シール材は、
前記被装着部に装着される装着部と、
弾性変形可能とし、少なくとも一部が前記被装着部に対して前記可動障子の戸尻側に位置する緩衝部とを備える
ことを特徴とする建具。
【請求項２】
前記可動障子における戸先框の見込み面には、
弾性変形可能とし、当該可動障子にて前記枠体内の開口を閉塞した際に前記戸先側枠部に当接する緩衝材が取り付けられている
ことを特徴とする請求項１に記載の建具。
【請求項３】
前記緩衝部及び前記緩衝材の少なくとも一方は、
長手方向に連通する中空形状を有する
ことを特徴とする請求項２に記載の建具。
【請求項４】
前記可動障子は、
前記枠体内で左右方向にスライド移動可能に設けられ、
前記緩衝材は、
前記戸先框における少なくとも下端側に設けられている
ことを特徴とする請求項２または３に記載の建具。
【請求項５】
前記被装着部は、
前記戸先側枠部における前記可動障子に対して見込み方向にずれた位置から前記可動障子の戸尻側に突出する基部と、
前記可動障子にて前記枠体内の開口を閉塞した状態で前記基部における当該可動障子に対して見込み方向に対向する位置から当該可動障子側にそれぞれ突出するとともに、先端が互いに近接する側にそれぞれ屈曲した一対の突起とで構成され、
前記装着部は、
前記基部及び前記一対の突起で囲まれる溝部に装着され、
前記緩衝部は、
前記基部の先端と前記一対の突起のうち当該基部の先端側に位置する突起とを前記可動障子の戸尻側から覆う
ことを特徴とする請求項１〜４のいずれか一つに記載の建具。
【請求項６】
前記被装着部は、
前記戸先側枠部における前記可動障子に対して見込み方向にそれぞれずれた各位置から前記可動障子の戸尻側にそれぞれ突出するとともに、先端が互いに近接する側にそれぞれ屈曲した一対の突起で構成され、
前記装着部は、
前記戸先側枠部及び前記一対の突起で囲まれる溝部に装着され、
前記緩衝部は、
前記一対の突起の各先端を前記可動障子の戸尻側から覆う
ことを特徴とする請求項１〜４のいずれか一つに記載の建具。
【請求項７】
前記被装着部は、
前記可動障子にて前記枠体内の開口を閉塞した状態で当該可動障子に対して見込み方向に対向しない位置に位置する
ことを特徴とする請求項６に記載の建具。
【請求項８】
前記シール材は、
弾性変形可能とし、前記可動障子にて前記枠体内の開口を閉塞した際に当該可動障子に圧接するシール部をさらに備え、
前記シール部は、
前記緩衝部から見込み方向にヒレ状に突出する
ことを特徴とする請求項１〜７のいずれか一つに記載の建具。
【請求項９】
前記シール材は、
弾性変形可能とし、前記可動障子にて前記枠体内の開口を閉塞した際に当該可動障子に圧接するシール部をさらに備え、
前記シール部は、
前記可動障子にて前記枠体内の開口を閉塞した際に当該可動障子における戸先框の見付け面に圧接する
ことを特徴とする請求項１〜７のいずれか一つに記載の建具。
【請求項１０】
前記可動障子における戸先框の見込み面には、
弾性変形可能とし、当該可動障子にて前記枠体内の開口を閉塞した際に前記戸先側枠部に当接する緩衝材が取り付けられ、
前記緩衝部は、
前記可動障子にて前記枠体内の開口を閉塞した際に前記緩衝材に圧接する
ことを特徴とする請求項１〜７のいずれか一つに記載の建具。
【発明の詳細な説明】
【技術分野】
【０００１】
本発明は、引き戸や上げ下げ窓等の建具に関する。
【背景技術】
【０００２】
従来、枠体と、当該枠体内にスライド移動可能に設けられ、当該枠体内の開口を開閉する可動障子とを備えた引き戸等の建具において、シール材を用いて防音対策を施した構造が知られている（例えば、特許文献１参照）。
特許文献１に記載の建具では、枠体における可動障子の戸先側に位置する戸先側縦枠の見込み面には、シール材が装着される被装着部が設けられている。この被装着部は、可動障子にて枠体内の開口を閉塞した際に当該可動障子に対して見込み方向に対向するように、戸先側縦枠の見込み面から突出する。また、被装着部において、可動障子に対して見込み方向に対向する面には、シール材が装着される溝部が設けられている。そして、可動障子にて枠体内の開口を閉塞した場合には、被装着部に装着されたシール材が当該可動障子に圧接し、当該可動障子と戸先側縦枠との隙間が閉塞される。
【先行技術文献】
【特許文献】
【０００３】
【特許文献１】特開昭６３−３１２４９１号公報（第３図）。
【発明の概要】
【発明が解決しようとする課題】
【０００４】
ここで、特許文献１に記載の建具では、被装着部は、外部に露出した状態となっている。このため、可動障子にて枠体内の開口を閉塞する際に被装着部における突出方向の先端部分と当該可動障子との間に指等を挟んでしまう虞があり、指挟み対策を施す必要がある。しかしながら、当該指挟み対策用の部品を別途、設けた場合には、部品点数が増加し、構造の簡素化を図ることができない、という問題がある。
【０００５】
本発明は、上記実情に鑑みて、指挟み対策を簡素な構造で実現することができる建具を提供することを目的とする。
【課題を解決するための手段】
【０００６】
上記目的を達成するため、本発明に係る建具は、枠体と、当該枠体内にスライド移動可能に設けられ、当該枠体内の開口を開閉する可動障子とを備えた建具であって、前記枠体における前記可動障子の戸先側に位置する戸先側枠部の見込み面には、シール材が装着される被装着部が設けられ、前記シール材は、前記被装着部に装着される装着部と、弾性変形可能とし、少なくとも一部が前記被装着部に対して前記可動障子の戸尻側に位置する緩衝部とを備えることを特徴とする。
【発明の効果】
【０００７】
本発明に係る建具によれば、指挟み対策を簡素な構造で実現することができる、という効果を奏する。
【図面の簡単な説明】
【０００８】
【図１】本実施の形態１に係る建具を浴室側から見た図である。
【図２】建具の縦断面図である。
【図３】建具の横断面図である。
【図４】図３の一部を拡大した図である。
【図５】緩衝材の取付位置を説明する図である。
【図６】本実施の形態２に係る被装着部及びシール材を示す図である。
【図７】本実施の形態３に係る被装着部及びシール材を示す図である。
【発明を実施するための形態】
【０００９】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００１０】
（実施の形態１）
〔建具の概略構成〕
図１は、本実施の形態１に係る建具１を浴室側から見た図である。図２は、建具１の縦断面図である。図３は、建具１の横断面図である。
なお、以下で記載する「見込み方向」は、建具１の奥行きに沿った方向（図２，図３の矢印Ａｒ参照）である。見込み方向に沿った平面については、見込み面と称し、見込み方向に直交する平面については、見付け面と称する場合がある。
建具１は、浴室と脱衣室との間の出入口に設けられる浴室用建具である。この建具１は、片引き戸で構成され、枠体２と、可動障子３と、固定面材４とを備える。
【００１１】
枠体２は、上枠２１、下枠２２、可動障子３の戸先側に位置する戸先側縦枠２３、及び可動障子３の戸尻側に位置する戸尻側縦枠２４を四周枠組みすることによって構成され、浴室及び脱衣室の境界に位置する開口部（図示略）の縁部に沿うように取り付けられる。また、枠体２は、上枠２１及び下枠２２に架け渡された方立枠２５を備える。そして、上枠２１、下枠２２、戸先側縦枠２３、及び戸尻側縦枠２４で構成される開口Ｏｐは、方立枠２５により、第１，第２開口Ｏｐ１，Ｏｐ２の２つの開口に区画される。
これら各枠部材２１〜２５は、アルミニウム等の金属製の押出形材であり、全長に亘って略一様な断面形状を有する。
なお、戸先側縦枠２３は、本発明に係る戸先側枠部に相当する。
【００１２】
ここで、上枠２１には、下方に向けて突出し、当該上枠２１の長手方向に沿って当該上枠２１の略全長に亘って延在する上レール部２１１が設けられている。また、下枠２２にも同様に、上方に向けて突出し、当該下枠２２の長手方向に沿って当該下枠２２の略全長に亘って延在する下レール部２２１が設けられている。さらに、第２開口Ｏｐ２を形成する上枠２１、下枠２２、戸尻側縦枠２４、及び方立枠２５には、固定面材４を固定するための固定部２１２，２２２，２４１，２５１がそれぞれ設けられている。
【００１３】
可動障子３は、開口Ｏｐ内において、固定面材４及び方立枠２５に対して脱衣室側に位置し、上，下レール部２１１，２２１に沿って左右方向にスライド移動可能に取り付けられている。この可動障子３は、ガラス材等の面材３１と、框部材３２とを備える。
框部材３２は、上框３３と、下框３４と、戸先框３５と、召合せ框３６とを框組みすることにより構成され、内部で面材３１の外周縁部を保持する。
これら各框部材３３〜３６は、アルミニウム等の金属製の押出形材であり、全長に亘って略一様な断面形状を有する。
ここで、戸先框３５における浴室側及び脱衣室側の各見付け面３５１，３５２には、引手Ｈａがそれぞれ設けられている。
そして、可動障子３が戸先側縦枠２３に当接した場合には、召合せ框３６と方立枠２５とが互いに係合する。そして、第１開口Ｏｐ１は、可動障子３にて閉塞される。また、戸先框３５における浴室側の見付け面３５１に設けられたつまみ（図示略）を操作し、当該戸先框３５に設けられた鎌錠Ｌ１を戸先側縦枠２３における第１開口Ｏｐ１に臨む見込み面２３１に取り付けられた錠受け装置Ｌ２（図５参照）に係合する。これにより、可動障子３は、第１開口Ｏｐ１を閉塞した状態に保持される。
【００１４】
固定面材４は、ガラス材等で構成され、四方の周縁部が各固定部２１２，２２２，２４１，２５１にそれぞれ固定される。そして、固定面材４は、第２開口Ｏｐ２を閉塞する。
【００１５】
〔指挟み対策〕
次に、建具１の指挟み対策について説明する。
図４は、図３の一部を拡大した図である。
戸先側縦枠２３の見込み面２３１には、一対のシール材５がそれぞれ装着される一対の第１被装着部６，７が設けられている。
一対の第１被装着部６，７は、本発明に係る被装着部に相当する。これら一対の第１被装着部６，７は、見込み面２３１において、可動障子３にて第１開口Ｏｐ１を閉塞した状態で、当該可動障子３の戸先側を見込み方向に挟み込む位置にそれぞれ設けられている。また、一対の第１被装着部６，７は、見込み方向に直交する平面を基準として対称となる形状を有している。このため、以下では、一対の第１被装着部６，７のうち、浴室側に位置する第１被装着部６の構成のみを説明する。また、第１被装着部７については、第１被装着部６と同様の構成には同一の符号を付してその説明を省略する。
【００１６】
第１被装着部６は、基部６１と、一対の第１突起６２とを備える。
基部６１は、見込み面２３１において、可動障子３に対して見込み方向にずれた位置に設けられている。そして、基部６１は、当該位置から戸尻側（図４中、右側）に向けて突出するとともに、戸先側縦枠２３の長手方向に沿って当該戸先側縦枠２３の略全長に亘って延在し、各板面が浴室側及び脱衣室側にそれぞれ向く略平板形状を有する。
一対の第１突起６２は、本発明に係る突起に相当する。これら一対の第１突起６２は、基部６１における突出方向の先端側にそれぞれ位置し、図４中、左右方向に並設されている。より具体的に、一対の第１突起６２は、基部６１における脱衣室側の板面から脱衣室側にそれぞれ突出するとともに、基部６１の長手方向に沿って当該基部６１の略全長に亘ってそれぞれ延在し、先端が他方の第１突起６２側に屈曲した形状をそれぞれ有する。そして、基部６１及び一対の第１突起６２で囲まれる溝部６３にシール材５が装着される。
【００１７】
シール材５は、例えば、軟質ＰＶＣ等の軟質樹脂で構成されている。このシール材５は、第１被装着部６，７の長手方向に沿って当該第１被装着部６，７の略全長に亘って延在し、全長に亘って略一様な断面形状を有する。そして、シール材５は、シール材装着部５１と、緩衝部５２と、シール部５３とを備える。
シール材装着部５１は、溝部６３の断面形状に倣う断面略Ｔ字形状を有し、当該溝部６３に挿通（装着）される部分であり、本発明に係る装着部に相当する。
緩衝部５２は、接続部５２１と、中空部５２２とを備える。
接続部５２１は、シール材装着部５１における溝部６３から外部に突出した端部から戸尻側に位置する第１突起６２の先端に沿って戸尻側に向けて略直角に屈曲して延在し、シール材装着部５１と中空部５２２とを接続する部分である。
中空部５２２は、戸尻側に位置する第１突起６２の外面に倣う断面略Ｌ字形状を有するとともに、上下方向（シール材５の長手方向）に連通する中空形状を有する。すなわち、中空部５２２は、外力に応じて潰れることで弾性変形可能とする。
【００１８】
シール部５３は、中空部５２２における他方のシール材５側で、かつ見込み面２３１側の角部から見込み方向にヒレ状に突出した部分である。すなわち、シール部５３は、当該ヒレ形状を有することにより外力に応じて弾性変形可能とする。そして、シール部５３は、可動障子３にて第１開口Ｏｐ１を閉塞した際に、戸先框３５の各見付け面３５１，３５２にそれぞれ圧接する。これにより、シール部５３と戸先框３５の各見付け面３５１，３５２との間に止水ラインが形成され、戸先側縦枠２３及び可動障子３間での水の流通が阻止される。
【００１９】
以上説明したシール材５は、一部が第１被装着部６または第１被装着部７の戸尻側に位置する緩衝部５２を備える。そして、シール材５は、緩衝部５２にて戸尻側から第１被装着部６（基部６１の先端及び戸尻側の第１突起６２）または第１被装着部７（基部６１の先端及び戸尻側の第１突起６２）を覆う。すなわち、可動障子３にて第１開口Ｏｐ１を閉塞する際に指等を戸先側縦枠２３（第１被装着部６，７）及び可動障子３間に挟んでしまった場合であっても、弾性変形可能とする緩衝部５２（中空部５２２）が緩衝材となる。したがって、シール材５は、止水用及び指挟み対策用の部材である。
【００２０】
また、見込み面２３１に対向する戸先框３５の見込み面３５３には、緩衝材８が装着される第２被装着部９が設けられている。
第２被装着部９は、戸先框３５の長手方向に沿って当該戸先框３５の略全長に亘って延在するとともに、見込み方向に並設された一対の第２突起９１で構成されている。
一対の第２突起９１は、見込み面３５３から見込み面２３１に向けてそれぞれ突出し、先端が他方の第２突起９１側に屈曲した形状をそれぞれ有する。そして、見込み面３５３及び一対の第２突起９１で囲まれる溝部９２に緩衝材８が装着される。
【００２１】
図５は、緩衝材８の取付位置を説明する図である。なお、図５では、枠体２と可動障子３とを脱衣室側から見ている。また、図５では、引手Ｈａの図示を省略している。
緩衝材８は、例えば、軟質ＰＶＣ等の軟質樹脂で構成されている。この緩衝材８は、第２被装着部９の長手方向に沿って延在し、全長に亘って略一様な断面形状を有する。なお、緩衝材８は、見込み面３５３において、下端と鎌錠Ｌ１の配設位置との間の範囲（子供の手が届く範囲（例えば、約１５００ｍｍ程度の高さまでの範囲））に設けられている。そして、緩衝材８は、緩衝材装着部８１と、緩衝材本体８２とを備える。
緩衝材装着部８１は、溝部９２の断面形状に倣う断面略Ｔ字形状を有し、当該溝部９２に挿通（装着）される部分である。
緩衝材本体８２は、緩衝材装着部８１における溝部９２から外部に突出した端部の見込み面２３１側に連設され、上下方向（緩衝材８の長手方向）に連通する中空形状を有する。すなわち、緩衝材本体８２は、外力に応じて潰れることで弾性変形可能とする。
【００２２】
以上説明した緩衝材８は、緩衝材本体８２にて見込み面３５３における下端と鎌錠Ｌ１の配設位置との間の範囲全体を覆う。すなわち、可動障子３にて第１開口Ｏｐ１を閉塞する際に指等を戸先側縦枠２３（第１被装着部６，７）及び可動障子３間に挟んでしまった場合であっても、弾性変形可能とする緩衝材本体８２が緩衝材となる。したがって、緩衝材８は、指挟み対策用の部材である。
【００２３】
（実施の形態２）
次に、本発明の実施の形態２について説明する。
以下の説明では、実施の形態１と同様の構成には同一符号を付し、その詳細な説明は省略または簡略化する。
図６は、本実施の形態２に係る一対の第１被装着部６Ａ，７Ａ及び一対のシール材５Ａを示す図である。
本実施の形態２では、上述した実施の形態１に対して、一対の第１被装着部６，７及び一対のシール材５とはそれぞれ異なる形状の一対の第１被装着部６Ａ，７Ａ及び一対のシール材５Ａを採用している。
【００２４】
一対の第１被装着部６Ａ，７Ａは、本発明に係る被装着部に相当する。これら一対の第１被装着部６Ａ，７Ａは、同一の形状を有する。このため、以下では、一対の第１被装着部６Ａ，７Ａのうち、浴室側に位置する第１被装着部６Ａの構成のみを説明する。また、第１被装着部７Ａについては、第１被装着部６Ａと同様の構成には同一の符号を付してその説明を省略する。
第１被装着部６Ａは、上述した実施の形態１で説明した第１被装着部６，７と同様に、見込み面２３１において、可動障子３に対して見込み方向にずれた位置に設けられている。また、第１被装着部６Ａは、戸先側縦枠２３の長手方向に沿って当該戸先側縦枠２３の略全長に亘ってそれぞれ延在し、見込み方向に並設された一対の第１突起６２Ａで構成されている。
一対の第１突起６２Ａは、本発明に係る突起に相当する。これら一対の第１突起６２Ａは、見込み面２３１から戸尻側に向けてそれぞれ突出し、先端が他方の第１突起６２Ａ側に屈曲した形状をそれぞれ有する。そして、見込み面２３１及び一対の第１突起６２Ａで囲まれる溝部６３Ａにシール材５Ａが装着される。
【００２５】
シール材５Ａは、第１被装着部６Ａ，７Ａの長手方向に沿って当該第１被装着部６Ａ，７Ａの略全長に亘って延在し、全長に亘って略一様な断面形状を有する。このシール材５Ａは、シール材装着部５１Ａと、緩衝部５２Ａと、シール部５３Ａとを備える。
シール材装着部５１Ａは、溝部６３Ａの断面形状に倣う断面略Ｔ字形状を有し、当該溝部６３Ａに挿通（装着）される部分であり、本発明に係る装着部に相当する。
緩衝部５２Ａは、シール材装着部５１Ａにおける溝部６３Ａから外部に突出した端部の戸尻側に連設されている。この緩衝部５２Ａは、図６中、左右方向に延在する断面矩形形状を有するとともに、上下方向（シール材５Ａの長手方向）に連通する中空形状を有する。すなわち、緩衝部５２Ａは、外力に応じて潰れることで弾性変形可能とする。
【００２６】
シール部５３Ａは、緩衝部５２Ａにおける他方のシール材５Ａ側で、かつ戸尻側の角部から見込み方向にヒレ状に突出した部分である。すなわち、シール部５３Ａは、当該ヒレ形状を有することにより外力に応じて弾性変形可能とする。そして、シール部５３Ａは、可動障子３にて第１開口Ｏｐ１を閉塞した際に、戸先框３５の各見付け面３５１，３５２にそれぞれ圧接する。これにより、シール部５３Ａと戸先框３５の各見付け面３５１，３５２との間に止水ラインが形成され、戸先側縦枠２３及び可動障子３間での水の流通が阻止される。
【００２７】
以上説明したシール材５Ａは、第１被装着部６Ａまたは第１被装着部７Ａの戸尻側に位置する緩衝部５２Ａを備える。そして、シール材５Ａは、緩衝部５２Ａにて戸尻側から第１被装着部６Ａ（一対の第１突起６２Ａの各先端）または第１被装着部７Ａ（一対の第１突起６２Ａの各先端）を覆う。すなわち、可動障子３にて第１開口Ｏｐ１を閉塞する際に指等を戸先側縦枠２３（第１被装着部６Ａ，７Ａ）及び可動障子３間に挟んでしまった場合であっても、弾性変形可能とする緩衝部５２Ａが緩衝材となる。したがって、シール材５Ａは、止水用及び指挟み対策用の部材である。
【００２８】
（実施の形態３）
次に、本発明の実施の形態３について説明する。
以下の説明では、実施の形態１，２と同様の構成には同一符号を付し、その詳細な説明は省略または簡略化する。
図７は、本実施の形態３に係る第１被装着部７Ａ及びシール材５Ｂを示す図である。
本実施の形態３では、上述した実施の形態２に対して、一対の第１被装着部６Ａ，７Ａのうち浴室側の第１被装着部６Ａが省略されている。すなわち、本実施の形態３では、本発明に係るシール材は、第１被装着部７Ａに装着されるシール材５Ｂの一つのみである。
【００２９】
シール材５Ｂは、第１被装着部７Ａの長手方向に沿って当該第１被装着部７Ａの略全長に亘って延在し、全長に亘って略一様な断面形状を有する。このシール材５Ｂは、上述した実施の形態２で説明したシール材装着部５１Ａの他、緩衝部５２Ｂを備える。
緩衝部５２Ｂは、シール材装着部５１Ａにおける溝部６３Ａから外部に突出した端部の戸尻側に連設されている。この緩衝部５２Ｂは、図７中、左右方向に延在する断面矩形形状を有するとともに、上下方向（シール材５Ｂの長手方向）に連通する中空形状を有する。すなわち、緩衝部５２Ｂは、外力に応じて潰れることで弾性変形可能とする。
【００３０】
以上説明した緩衝部５２Ｂは、第１被装着部７Ａの戸尻側に位置する。そして、緩衝部５２Ｂは、戸尻側から第１被装着部７Ａ（一対の第１突起６２Ａの各先端）を覆う。すなわち、可動障子３にて第１開口Ｏｐ１を閉塞する際に指等を戸先側縦枠２３（第１被装着部７Ａ）及び可動障子３間に挟んでしまった場合であっても、弾性変形可能とする緩衝部５２Ｂが緩衝材となる。
また、緩衝部５２Ｂは、可動障子３にて第１開口Ｏｐ１を閉塞した際に、戸先框３５の見付け面３５２及び緩衝材８（緩衝材本体８２）にそれぞれ圧接する。これにより、緩衝部５２Ｂと戸先框３５の見付け面３５２及び緩衝材８との間に止水ラインが形成され、戸先側縦枠２３及び可動障子３間での水の流通が阻止される。すなわち、本実施の形態３では、緩衝部５２Ｂに対して上述した実施の形態２で説明したシール部５３Ａの機能を付加している。
以上のようにシール材５Ｂは、止水用及び指挟み対策用の部材である。
【００３１】
ここで、第１被装着部７Ａと可動障子３とは、当該可動障子３にて第１開口Ｏｐ１を閉塞した状態で見込み方向に対向しない位置関係を有する。すなわち、第１被装着部７Ａと可動障子３との間には、当該可動障子３にて第１開口Ｏｐ１を閉塞した状態で当該可動障子３の移動方向（図７中、左右方向）にクリアランスＣＬ（図７）が設けられている。
なお、上述した実施の形態２では、説明を省略したが、第１被装着部６Ａ，７Ａと可動障子３とは上述した位置関係を有するとともに、第１被装着部６Ａ，７Ａと可動障子３との間には上述したクリアランスＣＬが設けられている。
【００３２】
（その他の実施の形態）
ここまで、本発明を実施するための形態を説明してきたが、本発明は上述した実施の形態１〜３によってのみ限定されるべきものではない。
上述した実施の形態１〜３では、本発明に係る建具（建具１）を浴室と脱衣室との間の出入口に設けられる浴室用建具で構成していたが、必ずしも浴室と脱衣室との間に設けられるものに限らない。また、本発明に係る建具としては、片引き戸に限らず、引違い窓や、上げ下げ窓等で構成しても構わない。なお、本発明に係る建具を片引き戸や引違い窓で構成した場合には、本発明に係る戸先側枠部は、縦枠を意味する。また、本発明に係る建具を上げ下げ窓で構成した場合には、本発明に係る戸先側枠部は、上枠や下枠等の横枠を意味する。
【００３３】
上述した実施の形態１〜３において、シール材５，５Ａ，５Ｂは、１種類の材料（例えば、軟質ＰＶＣ等）を成形した部材としてもよく、あるいは、２種類以上の材料を成形した部材としても構わない。例えば、シール材装着部５１，５１Ａについては硬度の高い材料を用い、緩衝部５２，５２Ａ，５２Ｂやシール部５３，５３Ａについてはシール材装着部５１，５１Ａよりも硬度の低い材料を用いても構わない。緩衝材８も同様である。
上述した実施の形態１〜３において、緩衝部５２，５２Ａ，５２Ｂは、弾性変形可能であれば、中空形状に限らず、その他の形状としても構わない。緩衝材本体８２も同様である。
上述した実施の形態１，２では、本発明に係る被装着部（第１被装着部６，７（６Ａ，７Ａ））は、一対で構成されていたが、これに限らず、いずれか一方を省略して一つで構成しても構わない。本発明に係るシール材（シール材５，５Ａ）も同様である。また、上述した実施の形態３では、本発明に係る被装着部（第１被装着部７Ａ）は、一つで構成されていたが、これに限らず、上述した実施の形態２と同様に、一対で構成しても構わない。本発明に係るシール材（シール材５Ｂ）も同様である。
【００３４】
本発明に係る建具は、枠体と、当該枠体内にスライド移動可能に設けられ、当該枠体内の開口を開閉する可動障子とを備えた建具であって、前記枠体における前記可動障子の戸先側に位置する戸先側枠部の見込み面には、シール材が装着される被装着部が設けられ、前記シール材は、前記被装着部に装着される装着部と、弾性変形可能とし、少なくとも一部が前記被装着部に対して前記可動障子の戸尻側に位置する緩衝部とを備えることを特徴とする。
【００３５】
本発明では、シール材は、少なくとも一部が被装着部に対して可動障子の戸尻側に位置する緩衝部を備える。すなわち、可動障子にて枠体内の開口を閉塞する際に指等を戸先側枠部（被装着部）及び可動障子間に挟んでしまった場合であっても、弾性変形可能とする緩衝部により、当該指等への衝撃を緩和することができる。このため、例えば、当該シール材を戸先側枠部及び可動障子間での水の流通を阻止する止水用の部材として用いた場合には、当該シール材に止水用及び指挟み対策用の双方の機能を持たせることができる。したがって、指挟み対策用の部品を別途、設ける必要がなく、指挟み対策を簡素な構造で実現することができる。
【００３６】
また、本発明は、上述した建具において、前記可動障子における戸先框の見込み面には、弾性変形可能とし、当該可動障子にて前記枠体内の開口を閉塞した際に前記戸先側枠部に当接する緩衝材が取り付けられていることを特徴とする。
本発明では、可動障子における戸先框の見込み面には、上述した緩衝材が取り付けられている。すなわち、可動障子にて枠体内の開口を閉塞する際に指等を戸先側枠部（被装着部）及び可動障子間に挟んでしまった場合であっても、弾性変形可能とする緩衝材により、当該指等への衝撃を緩和することができる。したがって、シール材（緩衝部）と緩衝材とを併用することで、指挟み対策を十分に施した建具を提供することができる。
【００３７】
また、本発明は、上述した建具において、前記緩衝部及び前記緩衝材の少なくとも一方は、長手方向に連通する中空形状を有することを特徴とする。
本発明では、緩衝部及び緩衝材の少なくとも一方は、長手方向に連通する中空形状を有しているため、外力に応じて潰れることで弾性変形可能とする。このため、緩衝部及び緩衝材の少なくとも一方における弾性変形可能とする構造を簡単な形状で実現することができる。
【００３８】
また、本発明は、上述した建具において、前記可動障子は、前記枠体内で左右方向にスライド移動可能に設けられ、前記緩衝材は、前記戸先框における少なくとも下端側に設けられていることを特徴とする。
本発明では、緩衝材を上述した位置に設けることにより、少なくとも子供の手の届く範囲に緩衝材を設けることが可能となる。すなわち、保護対象として優先する必要のある子供の指挟み対策を確実に施すことができる。
【００３９】
また、本発明は、上述した建具において、前記被装着部は、前記戸先側枠部における前記可動障子に対して見込み方向にずれた位置から前記可動障子の戸尻側に突出する基部と、前記可動障子にて前記枠体内の開口を閉塞した状態で前記基部における当該可動障子に対して見込み方向に対向する位置から当該可動障子側にそれぞれ突出するとともに、先端が互いに近接する側にそれぞれ屈曲した一対の突起とで構成され、前記装着部は、前記基部及び前記一対の突起で囲まれる溝部に装着され、前記緩衝部は、前記基部の先端と前記一対の突起のうち当該基部の先端側に位置する突起とを前記可動障子の戸尻側から覆うことを特徴とする。
本発明では、被装着部は、上述した基部及び一対の突起で構成されており、戸先側枠部の見込み面からの突出寸法が比較的に大きいものである。すなわち、当該被装着部を採用した場合には、指挟み対策を十分に施す必要がある。そこで、本発明では、緩衝部は、基部の先端と一対の突起のうち当該基部の先端側に位置する突起とを可動障子の戸尻側から覆うように構成している。このため、可動障子にて枠体内の開口を閉塞する際に指等を戸先側枠部（被装着部）及び可動障子間に挟んでしまった場合であっても、指等が基部の先端や当該基部の先端側に位置する突起に直接、触れることがなく、指挟み対策を十分に施すことができる。
【００４０】
また、本発明は、上述した建具において、前記被装着部は、前記戸先側枠部における前記可動障子に対して見込み方向にそれぞれずれた各位置から前記可動障子の戸尻側にそれぞれ突出するとともに、先端が互いに近接する側にそれぞれ屈曲した一対の突起で構成され、前記装着部は、前記戸先側枠部及び前記一対の突起で囲まれる溝部に装着され、前記緩衝部は、前記一対の突起の各先端を前記可動障子の戸尻側から覆うことを特徴とする。
本発明では、被装着部は、上述した一対の突起で構成されている。このため、特許文献１に記載の被装着部と比較して、戸先側枠部の見込み面からの被装着部の突出寸法を大幅に小さくすることができる。したがって、被装着部にて枠体内の開口を不要に狭めてしまうことがない。また、当該被装着部を採用した場合であっても、緩衝部が一対の突起の各先端を可動障子の戸尻側から覆うように構成している。このため、可動障子にて枠体内の開口を閉塞する際に指等を戸先側枠部（被装着部）及び可動障子間に挟んでしまった場合であっても、指等が一対の突起の各先端に直接、触れることがなく、指挟み対策を十分に施すことができる。
【００４１】
また、本発明は、上述した建具において、前記被装着部は、前記可動障子にて前記枠体内の開口を閉塞した状態で当該可動障子に対して見込み方向に対向しない位置に位置することを特徴とする。
本発明によれば、被装着部が可動障子に対して上述した位置関係を有するため、可動障子にて枠体内の開口を閉塞する際に指等を戸先側枠部（被装着部）及び可動障子間に挟んでしまった場合において、当該指等に加わるせん断力を緩和することができる。したがって、当該位置関係の構造に対してシール材（緩衝部）を採用することで、指挟み対策を十分に施した建具を提供することができる。
【００４２】
また、本発明は、上述した建具において、前記シール材は、弾性変形可能とし、前記可動障子にて前記枠体内の開口を閉塞した際に当該可動障子に圧接するシール部をさらに備え、前記シール部は、前記緩衝部から見込み方向にヒレ状に突出することを特徴とする。
本発明では、シール部は、弾性変形可能とする緩衝部から見込み方向にヒレ状に突出する。このため、シール部が可動障子に圧接した状態で、当該可動障子を開閉した場合には、当該開閉に応じてシール部及び緩衝部の双方が弾性変形する。したがって、例えばシール部が装着部からヒレ状に突出した構成と比較して、可動障子の開閉がシール部にて阻害されることがなく、当該可動障子を円滑に開閉することができる。
【００４３】
また、本発明は、上述した建具において、前記シール材は、弾性変形可能とし、前記可動障子にて前記枠体内の開口を閉塞した際に当該可動障子に圧接するシール部をさらに備え、前記シール部は、前記可動障子にて前記枠体内の開口を閉塞した際に当該可動障子における戸先框の見付け面に圧接することを特徴とする。
本発明によれば、シール部が上述したように戸先框の見付け面に圧接するため、当該シール部にて戸先側枠部と可動障子との隙間を効果的に閉塞することができる。例えば、シール材を止水用の部材として用いた場合には、当該シール部と戸先框の見付け面との間に止水ラインを形成し、戸先側枠部及び可動障子間での水の流通を効果的に阻止することができる。
【００４４】
また、本発明は、上述した建具において、前記可動障子における戸先框の見込み面には、弾性変形可能とし、当該可動障子にて前記枠体内の開口を閉塞した際に前記戸先側枠部に当接する緩衝材が取り付けられ、前記緩衝部は、前記可動障子にて前記枠体内の開口を閉塞した際に前記緩衝材に圧接することを特徴とする。
本発明では、可動障子における戸先框の見込み面には、上述した緩衝材が取り付けられている。このため、上記同様に、シール材（緩衝部）と緩衝材とを併用することで、指挟み対策を十分に施した建具を提供することができる。また、緩衝部が上述したように緩衝材に圧接するため、当該緩衝部と当該緩衝材にて戸先側枠部と可動障子との隙間を効果的に閉塞することができる。例えば、シール材を止水用の部材として用いた場合には、当該緩衝部と当該緩衝材との間に止水ラインを形成し、戸先側枠部及び可動障子間での水の流通を効果的に阻止することができる。さらに、当該緩衝部に止水用及び指挟み対策用の双方の機能を持たせることができるため、シール材に止水用のシール部等を別途、設ける必要がなく、当該シール材の構造を簡素化することができる。
【符号の説明】
【００４５】
１  建具、２  枠体、３  可動障子、５，５Ａ，５Ｂ  シール材、６，６Ａ，７，７Ａ  第１被装着部（被装着部）、８  緩衝材、２３  戸先側縦枠（戸先側枠部）、３５  戸先框、５１，５１Ａ  シール材装着部（装着部）、５２，５２Ａ，５２Ｂ  緩衝部、５３，５３Ａ  シール部、６１  基部、６２，６２Ａ  第１突起（突起）、６３，６３Ａ  溝部、２３１  見込み面、３５１，３５２  見付け面、３５３  見込み面、Ｏｐ  開口
【図１】
2019035317.tif 000003
【図２】
2019035317.tif 000004
【図３】
2019035317.tif 000005
【図４】
2019035317.tif 000006
【図５】
2019035317.tif 000007
【図６】
2019035317.tif 000008
【図７】
2019035317.tif 000009